(57)【要約】【課題】  複数の部分コンテンツからなるコンテンツを再生する方法で、視聴者の操作を必要とすることなく、個々の視聴者のその時々に応じた適切なタイミングで次の部分コンテンツに切り替えることができるようにする。【解決手段】  ドラマのカットの途中で次のカットの再生を開始するための条件として、最初のカットについては、検出時間帯で視聴者が瞬きを２回したこととされ、２番目のカットについては、検出時間帯で視聴者の瞳孔径が８ｍｍ以上になったこととされる。再生装置のＣＰＵは、カット再生時、上記の条件を満たすか否かを判断し、満たすときには、カットの途中でも次のカットの再生を開始する。音楽の場合、視聴者の呼吸のリズムまたは身体の動きが曲のリズムと合わなくなったときには、曲の途中でも次の曲の再生を開始する。電子小説の再生表示についても、視聴者の反応または状態を検出してページを捲る。【選択図】  図４
2005051654.tif 000002
【特許請求の範囲】
【請求項１】
複数の部分コンテンツからなるコンテンツを、記録メディアから読み取って、または送信元から受信して、その部分コンテンツを順次再生する方法であって、
部分コンテンツ再生中の視聴者の反応または状態を検出し、その検出された反応または状態が、定められた条件を満たすか否かを判断し、条件を満たすときには、次の部分コンテンツの再生を開始するコンテンツ再生方法。
【請求項２】
請求項１のコンテンツ再生方法において、
部分コンテンツ再生中の視聴者の反応または状態は、部分コンテンツごとに定められた検出時間帯において検出するコンテンツ再生方法。
【請求項３】
請求項２のコンテンツ再生方法において、
前記検出時間帯は、部分コンテンツの後半部分の時間帯とされたコンテンツ再生方法。
【請求項４】
請求項１のコンテンツ再生方法において、
前記条件は、部分コンテンツごとに定められたコンテンツ再生方法。
【請求項５】
複数の部分コンテンツからなるコンテンツを、記録メディアから読み取って、または送信元から受信して、その部分コンテンツを順次再生する装置であって、
部分コンテンツ再生中の視聴者の反応または状態を検出する検出手段と、
この検出手段によって検出された反応または状態が、定められた条件を満たすか否かを判断し、条件を満たすときには、次の部分コンテンツの再生を開始する再生制御手段と、
を備えるコンテンツ再生装置。
【請求項６】
請求項５のコンテンツ再生装置において、
前記再生制御手段は、部分コンテンツごとに定められた検出時間帯において前記検出手段によって検出された反応または状態が、定められた条件を満たすか否かを判断するコンテンツ再生装置。
【請求項７】
請求項６のコンテンツ再生装置において、
前記検出時間帯は、部分コンテンツの後半部分の時間帯とされたコンテンツ再生装置。
【請求項８】
請求項５のコンテンツ再生装置において、
前記条件は、部分コンテンツごとに定められたコンテンツ再生装置。
【請求項９】
複数の部分コンテンツからなるコンテンツを記録メディアに記録するに当たって、
一部または全部の部分コンテンツにつき、部分コンテンツごとに、当該部分コンテンツ再生中の視聴者の反応または状態についての、当該部分コンテンツの途中で次の部分コンテンツの再生を開始するための条件を設定し、その条件を示すデータを、対応する部分コンテンツに関連づけて、記録メディアに記録するコンテンツ記録方法。
【請求項１０】
複数の部分コンテンツからなるコンテンツ、および、このコンテンツの一部または全部の部分コンテンツにつき、部分コンテンツごとに定められた、当該部分コンテンツ再生中の視聴者の反応または状態についての、当該部分コンテンツの途中で次の部分コンテンツの再生を開始するための条件を示すデータが、記録されたコンテンツ記録メディア。
【発明の詳細な説明】
【技術分野】
【０００１】
この発明は、ドラマなどの映像、写真や図説などの静止画像、ドラマや音楽などの音声、小説などの文書（文章）などのコンテンツを再生する方法および装置、および、そのコンテンツ再生方法に用いるコンテンツ記録方法およびコンテンツ記録メディアに関する。
【０００２】
なお、コンテンツとは、人が視覚的または聴覚的に認識し得る内容であって、信号によって表現されるものであり、コンテンツの再生とは、その内容を人（視聴者）に提示することである。
【背景技術】
【０００３】
テレビやビデオなどで提供される映像および音声からなるドラマでも、ラジオなどで提供される音声のみのドラマでも、一つのカットから次のカットに切り替わるタイミングが重要である。
【０００４】
切り替わるタイミングが遅すぎると、冗長な、間延びした、テンポの悪い作品となり、逆に切り替わるタイミングが早すぎると、重要な事柄を見逃したり、感動的なシーンなのに十分に余韻に浸れなかったりする。
【０００５】
なお、一般には、シーンより短い単位をカットと称するが、ここでは、時間の長短に関係なく、区切りの単位をカットと称する。
【０００６】
特許文献１（特開平１１−２５０６２９号公報）には、オーディオコンテンツの記録再生に関する技術として、オーディオタイトルの再生単位をセルとし、そのセルの再生順を定義することによりコンテンツの再生順が定義されるオーディオコンテンツに、再生時間や使用者が再生装置を操作するのに必要な時間などの管理情報を付加することによって、再生時の操作性を向上させることが示されている。
【特許文献１】特開平１１−２５０６２９号公報。
【発明の開示】
【発明が解決しようとする課題】
【０００７】
しかしながら、カットの適切な切り替えタイミングは、ドラマ全体の内容や各カットの内容に依存するほか、視聴者個人の性格やその時の集中度合いなどにも影響され、どんな視聴者にも適切なタイミングでカットが切り替わるようにドラマを作成するのは困難である。
【０００８】
視聴者が自身の操作によって、適切なタイミングでカットを切り替えることも考えられるが、視聴者にとってカットごとに切り替え操作をするのは煩わしいとともに、手が塞がっていて操作できないこともある。
【０００９】
また、特許文献１に記載のように、再生時間や操作に必要な時間を記録しておいても、それによって、個々の視聴者のその時々に応じた適切なタイミングでカットを切り替えることはできない。
【００１０】
そこで、この発明は、複数の部分コンテンツからなるコンテンツを再生する方法において、視聴者の操作を必要とすることなく、個々の視聴者のその時々に応じた適切なタイミングで、ある部分コンテンツから次の部分コンテンツに切り替えることができるようにしたものである。
【００１１】
なお、この明細書では、ドラマにおけるカットに相当し、コンテンツの一部であって、順番に再生されることによってコンテンツ全体を構成する要素を、部分コンテンツと称する。ドラマ以外のコンテンツでは、部分コンテンツは、写真集の各写真一葉、書物の１ページ、音楽の１曲・１楽章などに相当するものである。
【課題を解決するための手段】
【００１２】
この発明のコンテンツ再生方法は、
複数の部分コンテンツからなるコンテンツを、記録メディアから読み取って、または送信元から受信して、その部分コンテンツを順次再生する方法であって、
部分コンテンツ再生中の視聴者の反応または状態を検出し、その検出された反応または状態が、定められた条件を満たすか否かを判断し、条件を満たすときには、次の部分コンテンツの再生を開始するものである。
【００１３】
上記の、この発明のコンテンツ再生方法では、コンテンツ再生装置の再生制御手段は、ビデオカメラや生体センサなどの検出手段によって検出された、部分コンテンツ再生中の視聴者の反応または状態が、瞬きを２回以上した、瞳孔径が８ｍｍ以上になった、身体の動きが再生中の曲のリズムと合わない状態が一定時間継続した、などの定められた条件を満たすか否かを判断し、条件を満たすときには、次の部分コンテンツの再生を開始する。
【００１４】
したがって、ドラマであれば、視聴者が驚いたときや注目したときなどに、カットの途中でも次のカットに切り替わり、音楽であれば、視聴者が曲に興味を持っていないときや曲に集中していないときなどに、曲の途中でも次の曲に切り替わる、というように、視聴者の操作を必要とすることなく、個々の視聴者のその時々に応じた適切なタイミングで、ある部分コンテンツから次の部分コンテンツに切り替わるようになる。
【発明の効果】
【００１５】
以上のように、この発明によれば、視聴者の操作を必要とすることなく、個々の視聴者のその時々に応じた適切なタイミングで、ある部分コンテンツから次の部分コンテンツに切り替えることができる。
【発明を実施するための最良の形態】
【００１６】
〔映像音声コンテンツを再生する場合の実施形態：図１〜図６〕
図１は、この発明のコンテンツ再生装置の一例を示し、コンテンツ記録メディアに記録されている映像音声コンテンツを再生する場合である。
【００１７】
視聴者は、例えば、椅子１に座って、コンテンツ再生装置１０でコンテンツ記録メディア９から再生されて、ディスプレイ２上に表示された映像、および左右のスピーカ３Ｌ，３Ｒから出力された音声を視聴する。
【００１８】
（視聴者の反応または状態の検出：図１）
この例では、ディスプレイ２の上方位置にビデオカメラ５が設けられ、椅子１に生体センサ６が設けられる。
【００１９】
ビデオカメラ５も、生体センサ６も、視聴者の生体情報を検出するものである。生体情報とは、一般に、人の心拍、脈拍、血圧、呼吸、脳波、皮膚発汗、皮膚抵抗、筋電位、体表面温度、瞬き（瞬目）、瞳孔径、発声音、表情、姿勢（顔面方向や身体方向）、体動（身体の動き）などの、生理的、生化学的または身体的な反応または状態である。
【００２０】
この例では、ビデオカメラ５では、コンテンツ再生中の視聴者の顔面が撮影され、後述のように、ビデオカメラ５から得られる画像データがコンテンツ再生装置１０で処理されることによって、視聴者の瞬き（瞬目）や瞳孔径などが検出される。また、生体センサ６は、例えば、体動センサまたは呼吸センサとされ、コンテンツ再生中の視聴者の体動または呼吸を検出するものである。
【００２１】
（コンテンツ再生装置の構成：図１）
この例のコンテンツ再生装置１０は、ＣＰＵ１１を備え、そのバス１２に、ＣＰＵ１１が実行するプログラムや固定データが書き込まれたＲＯＭ１３、プログラムやデータが展開されるＲＡＭ１４、ビデオカメラ５から得られる画像データを処理してビデオカメラ５で撮影された画像を解析する画像処理部１６、この画像処理部１６とビデオカメラ５を接続するインタフェース１７、および生体センサ６から得られるアナログ信号の生体情報をデジタルデータに変換するＡ／Ｄコンバータ１９が接続される。
【００２２】
コンテンツ再生装置１０に装着されたコンテンツ記録メディア９は、メディアドライブ２１によって駆動され、データ読み取り部２２によってコンテンツ記録メディア９から、これに記録されている後述のようにコンテンツデータと制御データからなるデータが読み取られる。
【００２３】
読み取られたデータ中の制御データは、ＣＰＵ１１によって解析され、コンテンツ再生制御に供される。読み取られたデータ中のコンテンツデータ、すなわち映像音声データは、再生処理部２４で映像データと音声データに分離される。
【００２４】
分離された映像データは、映像処理部２５で、伸長復号やアナログ信号への変換などの処理が実行された上で、ディスプレイ２に出力され、ディスプレイ２上に映像が表示される。分離された音声データは、音声処理部２６で、伸長復号やアナログ信号への変換などの処理が実行された上で、スピーカ３Ｌ，３Ｒに出力され、スピーカ３Ｌ，３Ｒから音声が出力される。
【００２５】
なお、ビデオカメラ５の起動や停止などの操作は、例えば、視聴者のコンテンツ再生装置１０での操作によって、コンテンツ再生装置１０のＣＰＵ１１により画像処理部１６およびインタフェース１７を介して実行される。
【００２６】
（コンテンツ記録メディアとコンテンツ記録方法：図１〜図３）
この例では、コンテンツ記録メディア９には、コンテンツとして、ドラマの映像音声データが記録されている。ドラマは、複数のカット（区切り）が所定の順序で再生されるように作成されたものである。さらに、このドラマの映像音声データには、カットごとに制御データが付加される。
【００２７】
図２に、その様子を示す。カットファイルＡ，Ｂ，Ｃ，Ｄは、それぞれ、各カットの映像音声データと制御データを合わせたものである。
【００２８】
カットの映像音声データの再生時間長は、カットごとに異なり、この例では、カットファイルＡでは２５秒、カットファイルＢでは３５秒、カットファイルＣでは２０秒、カットファイルＤでは２０秒である。ただし、その再生時間長は、当該カットを最初から最後まで再生する場合の時間長である。
【００２９】
各カットファイルの制御データは、当該カットの再生中の視聴者の反応または状態についての、当該カットの途中で次のカットの再生を開始するための条件を記述したものである。具体的に、この例では、その条件（広義の条件）は、カット再生中の視聴者の反応または状態を検出する時間帯、この検出時間帯で検出されるべき反応または状態、および、この反応または状態についてのカット切り替えの条件（狭義の条件）である。検出時間帯は、後述の理由によって、カットの後半部分に設定される。
【００３０】
図２の例では、最初のカットのカットファイルＡについては、検出時間帯が１５秒後以降とされ、すなわち当該カットの開始時点から１５秒後の時点から当該カットの終了時点までの１０秒間とされ、図３に示すように、検出対象の反応または状態が「瞬き」とされ、カット切り替えの条件が「２回以上」とされる。
【００３１】
これは、最初のカットについては、その再生時、後半部分の１０秒間の検出時間帯に、視聴者の瞬きが２回検出されたら、カットの途中でも、その検出された時点で、次の２番目のカットの再生を開始すべきことを意味する。視聴者が瞬きを連続的に２回以上するのは、視聴者が当該カットに驚いたときである。
【００３２】
２番目のカットのカットファイルＢについては、検出時間帯が２０秒後以降とされ、すなわち当該カットの開始時点から２０秒後の時点から当該カットの終了時点までの１５秒間とされ、図３に示すように、検出対象の反応または状態が「瞳孔径」とされ、カット切り替えの条件が「８ｍｍ以上」とされる。
【００３３】
これは、２番目のカットについては、その再生時、後半部分の１５秒間の検出時間帯に、視聴者の瞳孔径が８ｍｍ以上になったことが検出されたら、カットの途中でも、その検出された時点で、次の３番目のカットの再生を開始すべきことを意味する。視聴者の瞳孔径が８ｍｍ以上になるのは、視聴者が当該カットに注目したときである。
【００３４】
図２の例は、３番目のカットのカットファイルＣについては、検出時間帯が示されず、検出対象の反応または状態、およびカット切り替えの条件も示されない場合である。これは、３番目のカットについては、反応または状態の如何にかかわらず、当該カットを最後まで再生した後、次の４番目のカットの再生を開始すべきことを意味する。
【００３５】
４番目のカットのカットファイルＤについては、検出時間帯が８秒後以降とされ、すなわち当該カットの開始時点から８秒後の時点から当該カットの終了時点までの１２秒間とされ、図３では省略したが、この検出時間帯に、ある検出対象の反応または状態が、ある条件を満たしたら、その時点で、次の５番目のカットの再生を開始すべきものとされる。
【００３６】
図２では省略したが、５番目以降のカットについても、映像音声データに制御データが付加される。最後のカットについては、検出時間帯が示されず、当該カットを最後まで再生するものとされる。
【００３７】
ドラマ制作者は、ドラマを制作し、コンテンツとしてコンテンツ記録メディア９に記録するに当たっては、カットごとに、当該カットの内容や次のカットの内容、さらにはドラマ全体の内容などから、再生途中でのカット切り替えを認めるか、認めないかを決定し、さらに、再生途中でのカット切り替えを認めるカットについては、上記のように、検出時間帯、検出対象の反応または状態、および、その反応または状態についてのカット切り替えの条件を決定する。
【００３８】
上述した最初のカットについての「驚き」や２番目のカットについての「注目」以外に、例えば、悲しいカットでは、視聴者のすすり泣きが検出されたら、次のカットに移行し、ホラードラマの身の毛がよだつカットでは、視聴者がゾクッと体を震わせたことが検出されたら、次のカットに移行する、というような設定をすることができる。
【００３９】
上記のようにカットの後半部分に検出時間帯を設定するのは、カットのいずれの時間帯でも、ある反応または状態が一定の条件のもとに検出されたときには、当該カットの再生を打ち切って、次のカットの再生を開始するとすると、視聴者がドラマに反応したわけではなく、何か別の理由で、定められた反応を示したときでも、当該カットの再生が打ち切られて、視聴者がカットの前半部の重要な部分を見損なってしまうことがあるからである。
【００４０】
これに対して、カットの後半部分に検出時間帯を設定すれば、視聴者はカットの前半部分を見損なうことはない。その意味で、再生途中でのカット切り替えを認めるカットの検出時間帯が設定される後半部分には、必ずしも視聴しなくてもドラマの内容の把握に悪影響を及ぼさないような、前半部分の余韻に当たる映像および音声を収録しておくべきであり、検出時間帯が設定される後半部分は、一種の「のりしろ」のような役目をする部分である。この点から、再生途中でのカット切り替えを認めるカットは、ドラマの内容を伝達するのに必要な長さより幾分長めに作成しておく。
【００４１】
制御データは、カットの映像音声データのヘッダ部に付加し、またはカットの映像音声データの冒頭部分に時分割多重して、カットの映像音声データとともにコンテンツ記録メディア９に記録する。また、カット識別情報の付加などによって、当該の制御データが、いずれのカットの映像音声データに対応するものであるかが分かるようにすれば、制御データは、コンテンツ記録メディア９の映像音声データの記録領域と異なる記録領域に記録してもよい。
【００４２】
（コンテンツ再生制御：図４〜図６）
コンテンツ再生装置１０のＣＰＵ１１は、ドラマの各カットの再生時、上記の制御データを解析して、カットの再生を制御する。
【００４３】
上記の例では、最初のカットについては、カットファイルＡの制御データは、定められた検出時間帯に「瞬き」が２回検出されたらカットを切り替える、とされているので、最初のカットの開始時点から１５秒後の時点から当該カットの終了時点までの１０秒間において、画像処理部１６の出力、すなわちビデオカメラ５で撮影された画像の解析結果を取り込んで、瞬きが２回検出されたか否かを判断する。
【００４４】
そして、瞬きが２回検出されたときには、図４に示すように、その検出された時点で、次の２番目のカットの再生を開始する。この場合には、図４で黒く塗り潰して示すように、最初のカットのカット切り替え時点以降の部分は再生されないことになる。
【００４５】
図４では示していないが、検出時間帯に「瞬き」が２回検出されなかった（１回しか、または１回も、検出されなかった）ときには、当該の最初のカットを最後まで再生した後、次の２番目のカットの再生を開始する。
【００４６】
２番目のカットについては、カットファイルＢの制御データは、定められた検出時間帯に「瞳孔径」が８ｍｍ以上になったことが検出されたらカットを切り替える、とされているので、２番目のカットの開始時点から２０秒後の時点から当該カットの終了時点までの１５秒間において、画像処理部１６の出力、すなわちビデオカメラ５で撮影された画像の解析結果を取り込んで、瞳孔径が８ｍｍ以上になったことが検出されたか否かを判断する。
【００４７】
そして、瞳孔径が８ｍｍ以上になったことが検出されたときには、図４に示すように、その検出された時点で、次の３番目のカットの再生を開始する。この場合には、図４で黒く塗り潰して示すように、２番目のカットのカット切り替え時点以降の部分は再生されないことになる。
【００４８】
図４では示していないが、検出時間帯に「瞳孔径」が８ｍｍ以上になったことが検出されなかったときには、当該の２番目のカットを最後まで再生した後、次の３番目のカットの再生を開始する。
【００４９】
３番目のカットについては、カットファイルＣの制御データに検出時間帯が設定されていないので、当該の３番目のカットを最後まで再生した後、次の４番目のカットの再生を開始する。
【００５０】
４番目以降のカットについても、ＣＰＵ１１は、制御データの内容に応じて、カットの再生を制御する。
【００５１】
図５および図６に、ＣＰＵ１１が実行する以上のようなコンテンツ再生制御処理の一例を示す。
【００５２】
この例のコンテンツ再生制御処理３０では、まずステップ３１で，最初のカットファイルの再生を開始し、次にステップ３２で、当該カットファイルの制御データを検出し、次にステップ３３に進んで、その制御データに検出時間帯が設定されているか否かを判断する。
【００５３】
そして、検出時間帯が設定されているときには、ステップ３３からステップ３４に進んで、検出時間帯に達したか否かを判断し、検出時間帯に達したときには、ステップ３５に進んで、制御データに示された検出対象の反応または状態が検出されたか否かを判断する。
【００５４】
この反応または状態は、上記の例では、最初のカットについては「瞬き」であり、２番目のカットについては「瞳孔径」である。
【００５５】
ステップ３５で検出対象の反応または状態が検出されたと判断したときには、ステップ３６に進んで、カット切り替えの条件を満たすか否かを判断し、条件を満たさないときには、ステップ３７に進んで、当該カット（検出時間帯）が終了するか否かを判断し、いまだ当該カットが終了しないときには、ステップ３５に戻って、検出対象の反応または状態が検出されたか否かを判断する。
【００５６】
ステップ３５で検出対象の反応または状態が検出されなかったと判断したときには、ステップ３５から直接、ステップ３７に進んで、当該カット（検出時間帯）が終了するか否かを判断し、いまだ当該カットが終了しないときには、ステップ３５に戻って、検出対象の反応または状態が検出されたか否かを判断する。
【００５７】
すなわち、ステップ３５，３６および３７では、カット切り替えの条件を満たすまで、または当該カット（検出時間帯）が終了するまで、一定時間間隔で、検出対象の反応または状態が検出されたか否かを判断する。
【００５８】
上記の例では、最初のカットについては、１度目の「瞬き」が検出されると、ステップ３５で１回とカウントされ、その後、２度目の「瞬き」が検出されると、ステップ３５で計２回とカウントされ、ステップ３６でカット切り替えの条件を満たすと判断される。２番目のカットについては、ステップ３５で「瞳孔径」が検出されたと判断すると、ステップ３６で「瞳孔径が８ｍｍ以上」であるか否かが判断され、瞳孔径が８ｍｍ以上であれば、カット切り替えの条件を満たすと判断される。
【００５９】
そして、ステップ３６で、カット切り替えの条件を満たすと判断したときには、ステップ３８に進んで、カットを切り替えて次のカットファイルの再生を開始し、さらにステップ３２に戻って、次のカットにつき、ステップ３２以下の処理を繰り返す。
【００６０】
一方、ステップ３７で、検出対象の反応または状態が検出されることなく、またはカット切り替えの条件を満たすことなく、当該カット（検出時間帯）が終了すると判断したときには、ステップ３９に進んで、当該カットが最後のカットであるか否かを判断し、最後のカットでなければ、さらにステップ４１に進んで、次のカットファイルの再生を開始した上で、ステップ３２に戻って、次のカットにつき、ステップ３２以下の処理を繰り返す。
【００６１】
ステップ３３で、制御データに検出時間帯が設定されていないと判断したときには、ステップ４２に進んで、当該カットが終了するか否かを判断し、終了すると判断したときには、ステップ３９に進んで、当該カットが最後のカットであるか否かを判断し、最後のカットでなければ、さらにステップ４１に進んで、次のカットファイルの再生を開始した上で、ステップ３２に戻って、次のカットにつき、ステップ３２以下の処理を繰り返す。
【００６２】
上記の例では、３番目のカットについては、このようにステップ３３，４２，３９，４１の処理が順次実行される。
【００６３】
ステップ３９で、当該カットが最後のカットであると判断したときには、コンテンツ再生制御処理を終了する。
【００６４】
以上の例は、「瞬きが２回以上」または「瞳孔径が８ｍｍ以上」というような、カット切り替えの条件を満たす反応または状態が検出されたとき、直ちにカットを切り替え、次のカットの再生を開始する場合であるが、カット切り替えの条件を満たす反応または状態が検出された時点から、１秒または数秒というような一定時間後に、カットを切り替え、次のカットの再生を開始するように構成してもよい。
【００６５】
（コンテンツ再生の他の例）
以上の例は、コンテンツ記録メディアに記録されている映像音声コンテンツを再生する場合であるが、以上のコンテンツ再生方法は、配信元サーバや放送局などの送信元からネットワークや電波によって送信された映像音声コンテンツを受信し、再生する場合にも適用することができる。
【００６６】
この場合、送信元は、映像音声コンテンツ、例えばドラマの映像音声データとともに、上述したような制御データを送信する。
【００６７】
視聴者側のコンテンツ再生装置は、その制御データおよび映像音声コンテンツを受信し、映像音声コンテンツを再生するが、この場合、部分コンテンツの途中で次の部分コンテンツの再生を開始するために、例えばカットの途中で次のカットの再生を開始するために、上述した検出時間帯の部分の再生開始時点で、少なくとも次の部分コンテンツの冒頭部分、例えば次のカットの冒頭部分が、コンテンツ再生装置内の記憶部に蓄えられているように、コンテンツ再生装置を構成する。
【００６８】
〔音声コンテンツを再生する場合の実施形態〕
この発明のコンテンツ再生方法は、音声のみのコンテンツを再生する場合にも適用することができる。
【００６９】
音声コンテンツは、例えば音楽で、複数の曲が所定の順序で再生されるように作成されたものである。その曲データには、曲ごとに、上述したような制御データが付加され、または各曲に共通に、曲の途中で次の曲の再生を開始するための条件が設定される。
【００７０】
具体的に、視聴者が、その音楽に興味を持ち、集中しているときには、視聴者の呼吸のリズムは音楽のリズムと合致し、身体の動きも音楽のリズムと合致し、または視聴者は、じっとして動かない。これに対して、視聴者が、その音楽に興味を持っていないとき、集中していないとき、または飽きているときには、視聴者の呼吸のリズムは音楽のリズムと合致しなくなり、身体の動きも音楽のビートと合致しなくなる。
【００７１】
そこで、この場合の、曲の途中で次の曲の再生を開始するための条件は、例えば、視聴者の呼吸のリズムまたは身体の動きが、ある時間以上に渡って曲のリズムと合わなくなったことが検出されたこととする。
【００７２】
このような視聴者の反応または状態は、図１に生体センサ６として示した呼吸センサや体動センサによって検出することができる。
【００７３】
また、このように曲の途中で次の曲の再生を開始するための条件を各曲に共通に設定する場合には、その条件をコンテンツ再生装置内に設定しておくことができる。
【００７４】
そして、コンテンツ再生装置のＣＰＵは、その条件を満たすと判断したときには、次の曲の再生を開始するように、コンテンツ再生装置を構成する。
【００７５】
このような音楽コンテンツについても、電子音楽配信のように、送信元からコンテンツを送信し、視聴者側のコンテンツ再生装置で、そのコンテンツを受信し、再生する場合にも、この発明のコンテンツ再生方法を適用することができる。
【００７６】
この場合、送信元から上記のような制御データを送信してもよいが、上述したように曲の途中で次の曲の再生を開始するための条件を各曲に共通に設定する場合には、その条件をコンテンツ再生装置内に設定しておくことができる。
【００７７】
ただし、曲の途中で次の曲の再生を開始するために、検出時間帯の部分の再生開始時点で、少なくとも次の曲の冒頭部分が、コンテンツ再生装置内の記憶部に蓄えられているように、コンテンツ再生装置を構成する。
【００７８】
〔他の種類のコンテンツを再生する場合の実施形態〕
この発明のコンテンツ再生方法は、ＰＤＡ（Ｐｅｒｓｏｎａｌ  Ｄｉｇｉｔａｌ  Ａｓｓｉｓｔａｎｔｓ）や携帯電話端末などで、送信元から送信された、または記録メディアに記録されている、テキストデータ、図表、写真などからなる、いわゆる電子小説などの電子文書を再生する場合にも、適用することができる。
【００７９】
この場合、電子小説などの電子文書は、ページごとに再生表示され、従来は、視聴者が操作部でページを捲る操作をすることによって、次のページが再生表示される。
【００８０】
これに対して、この発明の、この例では、ＰＤＡや携帯電話端末などのコンテンツ再生装置内に、あるページの再生表示を停止して次のページを再生表示するための条件が設定される。
【００８１】
具体的に、視聴者（読者）が、そのページに集中し、そのページに見入っているときには、視聴者はディスプレイを正面に見ているが、視聴者が、そのページに集中していないときには、視聴者はディスプレイの方向から目をそらす。
【００８２】
そこで、この場合の、あるページの再生表示を停止して次のページを再生表示するための条件は、例えば、視聴者の顔面方向がディスプレイの方向からずれた状態が、ある時間以上に渡って継続したことが検出されたこととする。
【００８３】
このような視聴者の反応または状態は、ＰＤＡや携帯電話端末などのコンテンツ再生装置に設けられるカメラによって検出することができる。そのカメラとしては、カメラ付き携帯電話端末のカメラを利用することも可能である。
【００８４】
そして、コンテンツ再生装置のＣＰＵは、その条件を満たすと判断したときには、次のページを再生表示するように、コンテンツ再生装置を構成する。
【００８５】
なお、あるページの再生表示を停止して次のページを再生表示するための条件は、視聴者が大きく息を吐いたことや声を発したことが検出されたこととしてもよい。このような視聴者の反応または状態は、コンテンツ再生装置に設けられる呼吸センサやマイクロホンによって検出することができる。
【００８６】
これによれば、視聴者は、ページを捲りたいときには、大きく息を吐き、または声を発することによって、コンテンツ再生装置を手で操作することなく、ページを捲ることができる。
【図面の簡単な説明】
【００８７】
【図１】この発明のコンテンツ再生装置の一例を示す図である。
【図２】制御データの一例を示す図である。
【図３】条件の内容の一例を示す図である。
【図４】コンテンツ再生制御の一例を示す図である。
【図５】コンテンツ再生装置のＣＰＵが実行するコンテンツ再生制御処理の一例の一部を示す図である。
【図６】コンテンツ再生装置のＣＰＵが実行するコンテンツ再生制御処理の一例の一部を示す図である。
【符号の説明】
【００８８】
主要部については図中に全て記述したので、ここでは省略する。
【図１】
2005051654.tif 000003
【図２】
2005051654.tif 000004
【図３】
2005051654.tif 000005
【図４】
2005051654.tif 000006
【図５】
2005051654.tif 000007
【図６】
2005051654.tif 000008
【手続補正書】
【提出日】平成16年8月31日(2004.8.31)
【手続補正１】
【補正対象書類名】特許請求の範囲
【補正対象項目名】全文
【補正方法】変更
【補正の内容】
【特許請求の範囲】
【請求項１】
複数の部分コンテンツからなるコンテンツを再生する方法であって、
部分コンテンツ再生中の視聴者の生体情報を検出し、その検出された生体情報が、定められた条件を満たすか否かを判断し、条件を満たすときには、次の部分コンテンツの再生を開始するコンテンツ再生方法。
【請求項２】
請求項１のコンテンツ再生方法において、
部分コンテンツ再生中の視聴者の生体情報は、部分コンテンツごとに定められた検出時間帯において検出するコンテンツ再生方法。
【請求項３】
請求項２のコンテンツ再生方法において、
前記検出時間帯は、部分コンテンツの後半部分の時間帯とされたコンテンツ再生方法。
【請求項４】
請求項１のコンテンツ再生方法において、
前記条件は、部分コンテンツごとに定められたコンテンツ再生方法。
【請求項５】
複数の部分コンテンツからなるコンテンツを再生する装置であって、
部分コンテンツ再生中の視聴者の生体情報を検出する検出手段と、
この検出手段によって検出された生体情報が、定められた条件を満たすか否かを判断し、条件を満たすときには、次の部分コンテンツの再生を開始する再生制御手段と、
を備えるコンテンツ再生装置。
【請求項６】
請求項５のコンテンツ再生装置において、
前記再生制御手段は、部分コンテンツごとに定められた検出時間帯において前記検出手段によって検出された生体情報が、定められた条件を満たすか否かを判断するコンテンツ再生装置。
【請求項７】
請求項６のコンテンツ再生装置において、
前記検出時間帯は、部分コンテンツの後半部分の時間帯とされたコンテンツ再生装置。
【請求項８】
請求項５のコンテンツ再生装置において、
前記条件は、部分コンテンツごとに定められたコンテンツ再生装置。
【請求項９】
複数の部分コンテンツからなるコンテンツを記録メディアに記録するに当たって、部分コンテンツ再生中の視聴者の生体情報についての、当該部分コンテンツの途中で次の部分コンテンツの再生を開始するための条件を設定し、その条件を示すデータを、対応する部分コンテンツに関連づけて、記録メディアに記録するコンテンツ記録方法。
【請求項１０】
複数の部分コンテンツからなるコンテンツ、および、部分コンテンツ再生中の視聴者の生体情報についての、当該部分コンテンツの途中で次の部分コンテンツの再生を開始するための条件を示すデータが、記録されたコンテンツ記録メディア。
【手続補正２】
【補正対象書類名】明細書
【補正対象項目名】００１２
【補正方法】変更
【補正の内容】
【００１２】
この発明のコンテンツ再生方法は、
複数の部分コンテンツからなるコンテンツを再生する方法であって、
部分コンテンツ再生中の視聴者の生体情報を検出し、その検出された生体情報が、定められた条件を満たすか否かを判断し、条件を満たすときには、次の部分コンテンツの再生を開始するものである。